【事件の表示】
　平成５年特許願第２５７１６号「ハロゲン化銀写真感光材料」拒絶査定不服審判事件〔平成６年９月２日出願公開、特開平６−２４２５３３〕について、次のとおり審決する。
【結　論】
　本件審判の請求は、成り立たない。
【理　由】
１．手続の経緯・本願発明
　本願は、平成５年２月１５日の出願であって、その請求項１に係る発明は、平成１２年２月１４日付け、平成１３年８月２９日付け及び平成１４年５月１６日付の手続補正書によって補正された明細書の記載からみて、その特許請求の範囲の請求項１に記載された次のとおりのものと認める。
「【請求項１】支持体上に少なくとも１層のハロゲン化銀乳剤層及び／又はその他の親水性コロイド層中に、下記一般式〔Ａ〕及び〔Ｂ〕で表されるヒドラジン誘導体の少なくとも１種を含有するハロゲン化銀写真感光材料において、該ハロゲン化銀乳剤層及び／又はその他の親水性コロイド層中に造核促進剤を含有し、更に少なくとも１種の下記一般式〔Ｉ−ａ〕及び〔Ｉ−ｂ〕で表される赤外分光増感色素により分光増感されていることを特徴とするハロゲン化銀写真感光材料。
  式中、Ａはアリール基、又は、硫黄原子又は酸素原子を少なくとも一つ含む複素環基を表し、ｎは１又は２の整数を表す。ｎ＝１の時、Ｒ１及びＲ２はそれぞれ水素原子、アルキル基、アルケニル基、アルキニル基、アリール基、複素環基、ヒドロキシ基、アルコキシ基、アルケニルオキシ基、アルキニルオキシ基、アリールオキシ基、又はヘテロ環オキシ基を表し、Ｒ１とＲ２は窒素原子と共に環を形成してもよい。ｎ＝２の時、Ｒ１及びＲ２はそれぞれ水素原子、アルキル基、アルケニル基、アルキニル基、アリール基、飽和又は不飽和複素環基、ヒドロキシ基、アルコキシ基、アルケニルオキシ基、アルキニルオキシ基、アリールオキシ基、又はヘテロ環オキシ基を表す。ただしｎ＝２の時、Ｒ１及びＲ２のうち少なくとも一方はアルケニル基、アルキニル基、飽和複素環基、ヒドロキシ基、アルコキシ基、アルケニルオキシ基、アルキニルオキシ基、アリールオキシ基、又はヘテロ環オキシ基を表すものとする。Ｒ３はアルキニル基又は飽和複素環基を表す。
　一般式〔Ａ〕又は〔Ｂ〕で表される化合物には、式中の−ＮＨＮＨ−の少なくともいずれかのＨが置換基で置換されたものを含む。
式中、Ｙ１１，Ｙ１２，Ｙ２１及びＹ２２は、各々５員又は６員の含窒素複素環を完成するのに必要な非金属原子群を表し、Ｒ１１，Ｒ１２，Ｒ２１及びＲ２２は、各々、アルキル基、アリール基又はアラルキル基を表し、Ｒ１３，Ｒ１４，Ｒ１５，Ｒ２３，Ｒ２４，Ｒ２５及びＲ２６は各々、水素原子、アルキル基、アルコキシ基、フェニル基、ベンジル基、−Ｎ＜Ｗ１Ｗ２を表す。ここでＷ１とＷ２は、各々、炭素原子数１〜１８のアルキル基、アリール基を表し、Ｗ１とＷ２とは互いに連結して５員又は６員の含窒素複素環を形成することもできる。又、Ｒ１３とＲ１５及びＲ２３とＲ２５は互いに連結して５員又６員環を形成することができる。Ｘ１１−及びＸ２１−はアニオンを表す。ｎ１１，ｎ１２，ｎ２１及びｎ２２は０又は１を表す。」（以下、「本願発明」という。）
　
２．引用刊行物記載の発明
　原査定の拒絶の理由に引用された、本願出願日前に頒布されたことが明らかな下記刊行物１及び２には、以下の事項が記載されている。
（刊行物１：特開平２−１１３２３８号公報）
(1a)「支持体上に少なくとも１層のハロゲン化銀乳剤層を有するネガ型写真感光材料を画像露光後ｐＨ１１．２以下の現像液で処理する黒白画像形成方法において、該乳剤層又はその他の親水性コロイド層中に下記一般式（Ｉ）で表わされるヒドラジン誘導体、ｐＨ１１．２以下でガンマを６以上にする化合物及び赤外増感色素を含有することを特徴とする画像形成方法。
式中、Ｒ１は脂肪族基または芳香族基を表わし、Ｒ２は水素原子、アルキル基、アリール基、アルコキシ基、アリールオキシ基、アミノ基、カルバモイル基又はオキシカルネボニル基を表わし、Ｇ１はカルボニル基、スルホニル基、スルホキシ基、・・・又はイミノメチレン基を表わし、Ａ１、Ａ２はともに水素原子あるいは一方が水素原子で他方が置換もしくは無置換のアルキルスルホニル基、又は置換もしくは無置換のアリールスルホニル基、又は置換もしくは無置換のアシル基を表わす。」（特許請求の範囲）
(1b)「しかしながら、ヒドラジン誘導体を含んだ感光材料をｐＨ１１．２以上の現像液で、処理する超硬調画像形成法においては、感光材料に赤外増感色素を含有させると、現像液の変動（ｐＨや現像主薬の量）に対し、性能が大きく変化しやすいという欠点があつた。又ヒドラジン誘導体を含んだ感光材料に、赤外増感色素を含有させるとさらに保存性が悪化するという欠点があつた。
（発明の目的）
　本発明の目的は、処理液変動による性能変化の少ない、赤外増感された感光材料を提供することであり、第２の目的は、保存性のよい赤外増感された感光材料を提供することである。第３の目的は、画線、網点の再現性の良好な露光ラチチユードの広いハロゲン化銀感光材料を提供することである。」（第２頁右下欄第４〜２０行）
(1c)一般式（Ｉ）で示される化合物の具体例として、Ｉ−１）、Ｉ−５）、Ｉ−６）等が記載されている。（第６頁左下欄第７行〜第９頁右上欄）
(1d)「ｐＨ１１．２以下でガンマを６以上にするには、一般式（II）又は／と（III）に示される化合物を、感材中に含有させるのが好ましい。」（第９頁右下欄第５〜８行）
(1e)ｐＨ１１．２以下でガンマを６以上にする一般式（II）の化合物の例として、II−１ないしII−１９の化合物の構造式、特に、化合物II−８、化合物II−９が記載されている。（第１３頁左上欄〜第１４頁右上欄）
(1f)「本発明のハロゲン化銀乳剤は７５０ｎｍ以上の波長域に増感極大を持つように赤外増感される。赤外増感のための増感色素としては何を使用しても良いが、増感の性能及び安定性の点から、トリカルボシアニン色素及び／又は４−キノリン核含有ジカルボシアニン色素が特に好ましい。」（第１６頁左下欄第１０〜１５行）
(1g)赤外増感色素であるトリカルボシアニン色素及び４−キノリン核含有ジカルボシアニン色素の具体的な例として、（IV−１）ないし（IV−４２）の化合物の構造式、特に化合物（IV−１）、（IV−２）、（IV−５）、（IV−６）、（IV−１５）、（IV−２３）、（IV−２９）が記載されている。（第１９頁左下欄〜第２２頁右下欄、なお、刊行物１の当該頁において、化合物の番号に「III−」と表記しているのは、「IV−」の誤記であることは明らかである。）
(1h)比較例には、ハロゲン化銀乳剤ａに、安定剤、硬膜剤等と共に、ヒドラジン化合物Ｉ−２７を添加したものを基材上に塗布し、その上に保護層を設けて、感光材料サンプルＡを作成したこと、サンプルＡ乳剤層に増感色素IV−２、IV−６、IV−７を添加することで、それぞれサンプルＢ、Ｃ、Ｄを作成したこと、サンプルＡ〜Ｄを露光後、ｐＨ１０．７、及び１０．４の現像液を使用して現像処理したところ、増感色素の添加によって、処理液のｐＨ依存性が大きくなっていることが確認されたことが記載されている。（第３３頁左上欄１４行〜左下欄第１４行、なお、第３３頁左下欄に増感色素「Ｖ−」と表記しているのは、「IV−」の誤記であることは明らかである。）
(1i)実施例１には、比較例のサンプルＡ〜Ｄについてヒドラジン化合物量を増加すると共に、一般式（II）の化合物II−９を添加した組成で感光材料を作成して、比較例と同様に現像処理したことが記載され、その結果、増感色素と造核促進剤の併用した系においては、現像液のｐＨが低いにもかかわらず硬調になり、かつ現像液のｐＨの変動に対して、感度が安定であることがわかることが記載されている。（第３３頁左下欄１５行〜右下欄第１５行、なお、第３３頁右下欄に増感色素「Ｖ−」と表記しているのは、「IV−」の誤記であることは明らかである。）
　
（刊行物２：特開平４−１１４１４５号公報）
(2a)「支持体上に少なくとも１層のハロゲン化銀写真乳剤層を有するハロゲン化銀写真感光材料において、該ハロゲン化銀乳剤層が塗設されている側の表面の膜面ｐＨが５．９以上であり、かつ該ハロゲン化銀乳剤層及び／又はその隣接層中に下記一般式〔Ａ〕及び〔Ｂ〕で表されるヒドラジン誘導体を少なくとも１種と、アミン化合物及び４級オニウム塩から選ばれる少なくとも１種の造核促進化合物とを含有することを特徴とするハロゲン化銀写真感光材料。
〔式中、Ａはアリール基、又は、硫黄原子又は酸素原子を少なくとも一つ含む複素環基を表し、ｎは１又は２の整数を表す。ｎ＝１の時、Ｒ１及びＲ２はそれぞれ水素原子、アルキル基、アルケニル基、アルキニル基、アリール基、複素環基、ヒドロキシ基、アルコキシ基、アルケニルオキシ基、アルキニルオキシ基、アリールオキシ基、又はヘテロ環オキシ基を表し、Ｒ１とＲ２は窒素原子と共に環を形成してもよい。ｎ＝２の時、Ｒ１及びＲ２はそれぞれ水素原子、アルキル基、アルケニル基、アルキニル基、アリール基、飽和又は不飽和複素環基、ヒドロキシ基、アルコキシ基、アルケニルオキシ基、アルキニルオキシ基、アリールオキシ基、又はヘテロ環オキシ基を表す。ただしｎ＝２の時、Ｒ１及びＲ２のうち少なくとも一方はアルケニル基、アルキニル基、飽和複素環基、ヒドロキシ基、アルコキシ基、アルケニルオキシ基、アルキニルオキシ基、アリールオキシ基、又はヘテロ環オキシ基を表すものとする。Ｒ３はアルキニル基又は飽和複素環基を表す。
　一般式〔Ａ〕又は〔Ｂ〕で表される化合物には、式中の−ＮＨＮＨ−の少なくともいずれかのＨが置換基で置換されたものを含む。〕」（特許請求の範囲請求項１）
(2b)「リス型現像液を使わずに迅速に、かつ高コントラストの画像を得る方法が知られている。・・・ハロゲン化銀感光材料中にヒドラジン誘導体を含有せしめるものである。これらの方法によれば、保恒性がよく、迅速処理可能な現像液で処理することによって硬調な画像が得ることができる。これらの技術では、ヒドラジン誘導体の硬調性を充分発揮させるためにｐＨ１１．０以上のｐＨを有する現像液で処理しなければならなかった。ｐＨ１１．０以上の高ｐＨ現像液は、空気にふれると現像主薬が酸化しやすい。リス現像液よりは安定であるが、現像主薬の酸化によって、しばしば超硬調な画像が得られないことがある。この欠点を補うため・・・比較的低ｐＨの現像液でも硬調化する硬調化剤を含むハロゲン化銀写真感光材料が開示されている。しかし、これらのような硬調化剤を含むハロゲン化銀写真感光材料をｐＨ１１．０未満の現像液で処理した場合、硬調化が不充分であり、満足な網点性能が得られないのが現状である。
〔発明の目的〕
　本発明の目的は、ｐＨ１１未満の現像液で処理しても硬調な写真特性を有するハロゲン化銀写真感光材料を提供することにある。」（第２頁右上欄第１９行〜右下欄第５行）
(2c)一般式〔Ａ〕〔Ｂ〕に該当するヒドラジン誘導体の具体例として（１）ないし（１７７）の化学構造式、特に、化合物（６２）、（６３）、（６４）、（７８）、（７９）、（８２）、（８９）、（１０１）、（１０４）、（１０９）、（１１８）、（１２９）が記載されている。（第４頁左上欄〜第１３頁右上欄）
(2d)増核促進化合物である一般式[III]の化合物の具体例として、III−９、III−１７等が記載されている。（第２０頁右下欄〜第２１頁右下欄）
(2e)実施例として、ハロゲン化銀乳剤に、増感色素、安定剤、カブリ防止剤、硬膜剤、ラテックス等の通常成分と、表−１記載の造核促進剤及びヒドラジン誘導体を混合して得た乳剤を基材上に塗布して感光材料を作成したことが記載されている。（第３９頁左下欄第１行〜第４０頁右上欄第５行）
(2f)ヒドラジン化合物の比較化合物として、式（ａ）の化合物を使用したことが記載されている。（第４１頁右上欄第９〜１２行）
(2g)感光材料を露光し、ｐＨ＝１０．４及び１０．６の２種類の現像液を用いて、処理したことが記載されている。（第４０頁右下欄〜第４１頁左上欄の現像液処方）
(2h)表−１には、ヒドラジン誘導体として一般式〔Ａ〕及び［Ｂ］に該当する化合物、及び造核促進剤を含有した試料は、造核促進剤を含有するもの式（ａ）の比較ヒドラジン化合物を使用した試料Ｎｏ．２及び３に比較して、相対感度、ガンマともに向上が見られたことが記載されている。（第４１頁　表−１）
(2i)「本発明により、ｐＨ１１未満の現像液で処理しても硬調な写真特性を有するハロゲン化銀写真感光材料を提供することができた。」（第４１頁右下欄第５〜７行）
　
３．対比
　上記刊行物１の摘記事項から、刊行物１には、「支持体上に少なくとも１層のハロゲン化銀乳剤層を有するネガ型写真感光材料の乳剤層又はその他の親水性コロイド層中にヒドラジン誘導体、ｐＨ１１．２以下でガンマを６以上にする化合物及び赤外増感色素を含有し、画像露光後ｐＨ１１．２以下の現像液で処理する黒白画像形成方法に用いられるネガ型写真感光材料。」の発明が記載されているところ、本願発明と刊行物１記載の発明とを比較する。
（ア）刊行物１記載の発明の「ネガ型写真感光材料」は、本願発明の「ハロゲン化銀写真感光材料」に相当する。
（イ）刊行物１に、「ｐＨ１１．２以下でガンマを６以上化合物」である、一般式（II）に該当する化合物例として記載された、化合物II−８及び化合物II−９（上記摘記事項(1d)(1e)参照。）は、本願明細書で造核促進剤Ｎｏ．２１として示されている化合物、及びこの化合物よりメチレン連鎖が１つ多いだけのごく近縁の化合物であるから、刊行物１記載の発明の「ｐＨ１１．２以下でガンマを６以上にする化合物」は、本願発明の「造核促進剤」に該当するといえる。
（ウ）刊行物１に記載された、赤外増感色素（IV−１）、（IV−２）、（IV−５）、(IV−６）、（IV−１５）、(IV−２３）、（IV−２９）（上記摘記事項(1g)参照。）は、それぞれ、本願明細書に記載された、赤外増感分光色素Ｉ−１、Ｉ−２、 Ｉ−３、Ｉ−１１、Ｉ−６、Ｉ−１４、Ｉ−１６に該当するから、刊行物１には、赤外増感色素として、本願発明の一般式〔Ｉ−ａ〕及び〔Ｉ−ｂ〕で表されるものが記載されているといえる。
　したがって、両者の間には、以下の一致点及び相違点がある。
（一致点）　
　支持体上に少なくとも１層のハロゲン化銀乳剤層及び／又はその他の親水性コロイド層中に、ヒドラジン誘導体の少なくとも１種を含有するハロゲン化銀写真感光材料において、ハロゲン化銀乳剤層及び／又はその他の親水性コロイド層中に造核促進剤を含有し、更に少なくとも１種の下記一般式〔Ｉ−ａ〕及び〔Ｉ−ｂ〕で表される赤外分光増感色素により分光増感されているハロゲン化銀写真感光材料である点。
（相違点）
　本願発明が、ヒドラジン誘導体について、一般式〔Ａ〕及び〔Ｂ〕で表されるものであることを規定するのに対して、刊行物１に記載された一般式（Ｉ）のヒドラジン誘導体は、置換基の選択によっては、本願発明の一般式［Ａ］及び［Ｂ］に該当する場合があるものの、具体例として記載されたものは、いずれも本願発明の一般式〔Ａ〕及び〔Ｂ〕に該当しない点。
　
４．判断
　上記相違点について検討する
　刊行物２には、感光層中に、増感色素、ヒドラジン誘導体、造核促進剤を含有するハロゲン化銀写真感光材料が記載され、増感色素こそ本願発明の赤外増感分光色素とは異なるものの、刊行物２記載の一般式〔Ａ〕及び〔Ｂ〕のヒドラジン誘導体は本願発明と同じ化合物であるし、造核促進剤についても、本願発明と同じものが記載されている（上記摘記事項（2a）(2c)(2d)参照。)。
　さらに、刊行物２で比較のヒドラジン誘導体として用いられた式（ａ）の化合物は、刊行物１にヒドラジン誘導体の具体例として記載された化合物Ｉ−５）と同じ化合物であり（上記摘記事項(1c)(2f)参照。）、それに対して、一般式〔Ａ〕及び〔Ｂ〕のヒドラジン誘導体を用いた場合、ガンマ、感度ともに格段に向上することが、刊行物２には示されている（上記摘記事項(2e)〜(2h)参照。）。
　そして、刊行物１、２記載の発明はともに、ｐＨが１１未満の現像液を適用しても、硬調が画像を得ることができるハロゲン化銀写真感光材料を実現するという課題の下に、その効果を達成するものである（上記摘記事項(1b)(1i)(2b)(2i)参照。）。
　してみれば、刊行物１に記載のハロゲン化銀写真感光材料において、より一層の感度及びガンマの向上という効果を期待して、ヒドラジン誘導体として、刊行物２に記載のヒドラジン誘導体を適用することは、当業者が容易になし得たものといえ、その効果も予測外のものとすることはできない。
　
５．むすび
  したがって、本願発明は、刊行物１及び２に記載された発明に基づいて当業者が容易に発明をすることができたものであるので、特許法第２９条第２項の規定により特許を受けることができない。
　よって、結論のとおり審決する。